(57)【要約】【課題】情報処理装置を完全に起動させずとも、情報処理装置内に蓄積されたデータをデータ再生装置で読み出すこと。【解決手段】データを記憶するＨＤＤ１８と、データの再生を行うオーディオ装置３との間で通信を行うＵＳＢコネクタ１９と、オーディオ装置３との間の通信を制御すると共に、ＨＤＤ１８のデータの読み出しを制御する制御部１１と、ＨＤＤ１８、ＵＳＢコネクタ１９、及び制御部１１に電力を供給するパワーコントロール部１３と、を備え、制御部１１は、ＨＤＤ１８に電力が供給されていない場合に、ＵＳＢコネクタ１９を介してオーディオ装置３からＨＤＤ１８を駆動するための駆動信号を受信すると、当該受信した駆動信号に応じて、パワーコントロール部１３にＨＤＤ１８へ電力を供給させる。【選択図】図１
2008217561.tif 000002
【特許請求の範囲】
【請求項１】
データを記憶する記憶部と、
前記データの再生を行うデータ再生装置との間で通信を行う第１の通信部と、
前記データ再生装置との間の通信を制御すると共に、前記記憶部のデータの読み出しを制御する第１の制御部と、
前記記憶部、前記第１の通信部、及び第１の制御部に電力を供給する電力供給部と、を備え、
前記第１の制御部は、
前記記憶部に電力が供給されていない場合に、前記第１の通信部を介して前記データ再生装置から前記記憶部を駆動するための駆動信号を受信すると、当該受信した駆動信号に応じて、前記電力供給部に前記記憶部へ電力を供給させることを特徴とする情報処理装置。
【請求項２】
前記第１の制御部は、
該情報処理装置の通常制御動作が解除された状態で前記データ再生装置が電源ＯＮされていることを認識した場合、前記電力供給部に前記記憶部へ電力の供給を継続させることを特徴とする請求項１に記載の情報処理装置。
【請求項３】
前記第１の制御部は、
該情報処理装置の通常制御動作が解除された状態で前記データ再生装置が電源ＯＮから電源ＯＦＦの状態となったことを認識した場合、前記電力供給部に前記記憶部への電力の供給を遮断させることを特徴とする請求項１又は２に記載の情報処理装置。
【請求項４】
請求項１から３のいずれか一項に記載の情報処理装置と、
前記データ再生装置と、を備え、
前記データ再生装置は、
前記データを再生する再生部と、
前記情報処理装置と通信を行う第２の通信部と、
前記記憶部を駆動するための駆動信号を生成し、当該生成した駆動信号を前記第２の通信部を介して前記情報処理装置に送信させる第２の制御部と、
を備えることを特徴とする情報処理システム。
【請求項５】
データを記憶する記憶部を有する情報処理装置と通信を行う通信部と、
前記データを再生する再生部と、
前記記憶部を駆動するための駆動信号を生成し、当該生成した駆動信号を前記通信部を介して前記情報処理装置に送信させる制御部と、
を備えることを特徴とするデータ再生装置。
【発明の詳細な説明】
【技術分野】
【０００１】
本発明は、情報処理装置、情報処理システム、及びデータ再生装置に関する。
【背景技術】
【０００２】
従来から、情報処理装置（ＰＣ（Personal Computer））の記憶部（ＨＤＤ（Hard Disc Drive））のデータをデータ再生装置（オーディオ装置）で再生する情報処理システム（オーディオシステム）が知られている。
【０００３】
図６（Ａ）を参照して、従来のオーディオシステム１００について説明する。オーディオシステム１００は、ＰＣ１０１と、オーディオ装置１０２と、ＵＳＢ（Universal Serial Bus）ケーブル１０３と、を備える。
以下、オーディオシステム１００において実行されるデータの再生動作について説明する。先ず、ＰＣ１０１は、ＨＤＤ内のデータの読み出しを行う。そして、当該読み出したデータを、ＵＳＢケーブル１０３を介してオーディオ装置１０２に送信する。オーディオ装置１０２は、データを受信し、当該受信したデータを再生する。
【０００４】
次に、図６（Ｂ）を参照して従来のオーディオシステム２００について説明する。オーディオシステム２００は、ＰＣ２０１と、ＵＳＢＨＤＤ２０２と、オーディオ装置２０３と、ＵＳＢケーブル２０４と、を備える。
以下、オーディオシステム２００において実行されるデータの再生動作について説明する。先ず、ユーザは、ＰＣ２０１とＵＳＢＨＤＤ２０２とをＵＳＢケーブル２０４により接続する。ＵＳＢケーブル２０４の接続後、ＰＣ２０１は、ＨＤＤ内のデータの読み出しを行う。そして、ＰＣ２０１は、当該読み出したデータを、ＵＳＢケーブル２０４を介してＵＳＢＨＤＤ２０２に送信する。ＵＳＢＨＤＤ２０２は、データを受信し、当該受信したデータをＨＤＤ内に記憶する。当該データの記憶後、ユーザは、ＵＳＢＨＤＤ２０２とオーディオ装置２０４とをＵＳＢケーブルにより接続する。そして、ＵＳＢＨＤＤ２０２は、ＨＤＤ内に記憶したデータを読み出し、当該読み出したデータをＵＳＢケーブル２０４を介してオーディオ装置２０３に送信する。オーディオ装置２０３は、データを受信した後、当該受信したデータを再生する。
【０００５】
また、ＰＣの装置全体を立ち上げなくても、データを転送先に転送することが可能な技術が知られている（例えば、特許文献１参照）。当該技術では、電源がＯＦＦされたＰＣの本体を中継ユニットの枠体に挿入することにより、ＰＣ内のハードディスク装置（記憶部）の電源が投入される。これにより、記憶部のデータの読み出し、書き込みが可能となる。
【特許文献１】特開２００４−１３３５４２号公報
【発明の開示】
【発明が解決しようとする課題】
【０００６】
しかしながら、従来のオーディオシステム１００は、ＰＣ１０１のＨＤＤのデータをオーディオ装置１０２で再生する場合、ＰＣ１０１の装置全体を立ち上げる必要があった。このため、ＰＣ１０１のＨＤＤ（記憶部）を駆動して、オーディオ装置１０２でデータを再生するまでに手間と時間を要していた。同様に、オーディオシステム２００においても、ＰＣ２０１のＨＤＤ内のデータをオーディオ装置２０３で再生するまでに手間と時間を要していた。すなわち、オーディオシステム２００は、ＰＣ２０１とＵＳＢＨＤＤ２０２とを通信接続する際、ＵＳＢケーブル２０４で接続する必要がある。さらに、ＰＣ２０１の記憶部として用いられているＵＳＢＨＤＤ２０２とオーディオ装置２０３とを通信接続する際、ＰＣ２０１を介してオーディオ装置と通信接続したり、ＵＳＢケーブル２０４をつなぎ変えて接続する必要がある。このため、ＰＣ２０１のＨＤＤ（記憶部）を駆動して、オーディオ装置２０３でデータを再生するまでに手間と時間を要していた。  
【０００７】
また、上記特許文献の技術は、ＰＣの通常動作中以外に、記憶部のデータの読み出し及び書き込みを実行するには、中継ユニットにＰＣを挿入しなければならない。ここで、ＰＣの通常動作中以外とは、ＰＣの電源がＯＦＦであり、記憶部に電力が供給されていない時のことをいう。すなわち、特許文献の技術では、ＰＣを中継ユニットに挿入しなければ、記憶部へ電力が供給されない。このため、ＰＣ（情報処理装置）の通常動作中以外に記憶部へ電力を供給する際、ユーザは作業に手間と時間を要していた。すなわち、情報処理装置を完全に起動させなければ、情報処理装置内に蓄積されたデータを読み出すことができなかった。
【０００８】
本発明の課題は、情報処理装置を完全に起動させずとも、情報処理装置内に蓄積されたデータをデータ再生装置で読み出すことである。
【課題を解決するための手段】
【０００９】
上記課題を解決するため、請求項１に記載の情報処理装置は、
データを記憶する記憶部と、
前記データの再生を行うデータ再生装置との間で通信を行う第１の通信部と、
前記データ再生装置との間の通信を制御すると共に、前記記憶部のデータの読み出しを制御する第１の制御部と、
前記記憶部、前記第１の通信部、及び第１の制御部に電力を供給する電力供給部と、を備え、
前記第１の制御部は、
前記記憶部に電力が供給されていない場合に、前記第１の通信部を介して前記データ再生装置から前記記憶部を駆動するための駆動信号を受信すると、当該受信した駆動信号に応じて、前記電力供給部に前記記憶部へ電力を供給させることを特徴とする。
【００１０】
請求項２に記載の発明は、請求項１に記載の情報処理装置において、  
前記第１の制御部は、
該情報処理装置の通常制御動作が解除された状態で前記データ再生装置が電源ＯＮされていることを認識した場合、前記電力供給部に前記記憶部へ電力の供給を継続させることを特徴とする。
【００１１】
請求項３に記載の発明は、請求項１又は２に記載の情報処理装置において、
前記第１の制御部は、
該情報処理装置の通常制御動作が解除された状態で前記データ再生装置が電源ＯＮから電源ＯＦＦの状態となったことを認識した場合、前記電力供給部に前記記憶部への電力の供給を遮断させることを特徴とする。
【００１２】
請求項４に記載の情報処理システムは、
請求項１から３のいずれか一項に記載の情報処理装置と、
前記データ再生装置と、を備え、
前記データ再生装置は、
前記データを再生する再生部と、
前記情報処理装置と通信を行う第２の通信部と、
前記記憶部を駆動するための駆動信号を生成し、当該生成した駆動信号を前記第２の通信部を介して前記情報処理装置に送信させる第２の制御部と、
を備えることを特徴とする。
【００１３】
請求項５に記載の発明のデータ再生装置は、
データを記憶する記憶部を有する情報処理装置と通信を行う通信部と、
前記データを再生する再生部と、
前記記憶部を駆動するための駆動信号を生成し、当該生成した駆動信号を前記通信部を介して前記情報処理装置に送信させる制御部と、
を備えることを特徴とする。
【発明の効果】
【００１４】
本発明によれば、情報処理装置を完全に起動させずとも、情報処理装置内に蓄積されたデータをデータ再生装置で読み出すことができる。
【発明を実施するための最良の形態】
【００１５】
以下、添付図面を参照して本発明に係る一実施の形態を詳細に説明する。ただし、発明の範囲は、図示例に限定されない。
【００１６】
図１にオーディオシステム１の構成例を示す。図２にＰＣ２の内部構成例を示す。図３にオーディオ装置３の内部構成例を示す。図４にオーディオシステム１の状態遷移図を示す。
【００１７】
先ず、図１を参照してオーディオシステム１の構成例について説明する。オーディオシステム１は、ＰＣ２のＨＤＤ１５に記憶されているデータを、オーディオ装置３で再生するシステムである。
情報処理システムとしてのオーディオシステム１は、情報処理装置としてのＰＣ２と、データ再生装置としてのオーディオ装置３と、ＵＳＢケーブル４と、を備えて構成される。また、本実施の形態では、データを楽曲データとして説明する。
【００１８】
図２を参照してＰＣ２の内部構成例について説明する。
ＰＣ２は、第１の制御部としての制御部１１と、電源スイッチ部１２と、電力供給部としてのパワーコントロール部１３と、実行部１４と、記憶部としてのＨＤＤ１８と、第１の通信部としてのＵＳＢコネクタ１９と、を備えて構成される。なお、図２の実線は信号線、破線は電力線を示している。
【００１９】
制御部１１は、ＣＰＵ（Central Processing Unit）、ＲＡＭ（Random Access Memory）等を備えて構成される。ここで、ＣＰＵはＣＭＯＳ（Complementory Metal Oxide Semiconductor）等でＬＳＩ（Large Scale Integration）化されたＭＰＵ（Micro Processing Unit）を含む。また、ＣＰＵは、ＨＤＤ１８に記憶されているシステムプログラム及び各種アプリケーションプログラムの中から指定されたプログラムをＲＡＭに展開し、ＲＡＭに展開されたプログラムとの協働で、各種処理を実行する。
【００２０】
制御部１１は、オーディオ装置３との間の通信を制御すると共に、ＨＤＤ１８の楽曲データの読み出しを制御する。また、制御部１１は、ＨＤＤ１８に電力が供給されていない場合に、ＵＳＢコネクタ１９を介してオーディオ装置３からＨＤＤ１８を駆動するための駆動信号を受信すると、当該受信した駆動信号に応じて、パワーコントロール部１３にＨＤＤ１９へ電力を供給させる。ここで、駆動信号とは、ＨＤＤ１８を駆動するための信号のことをいう。また、制御部１１には、パワーコントロール部１３から常時電力が供給されている。
【００２１】
また、制御部１１は、ＰＣ２の通常制御動作が解除された状態でオーディオ装置３が電源ＯＮされていることを認識した場合、パワーコントロール部１３にＨＤＤ１８へ電力の供給を継続させる。ＰＣ２の通常制御動作が解除された状態とは、ＰＣ制御部１５がＰＣ２を制御する状態が解除されたときの状態のことをいう。すなわち、実行部１４に電力の供給が遮断され、ＰＣ制御部１５によりＰＣ２の制御動作が行われない状態のことをいう。また、オーディオ装置３が電源ＯＮされているとは、オーディオ装置３の本体部３Ａ（後述）に電力が供給されていることをいう。
【００２２】
また、制御部１１は、ＰＣ２の通常制御動作が解除された状態でオーディオ装置３が電源ＯＮから電源ＯＦＦの状態となったことを認識した場合、パワーコントロール部１３にＨＤＤ１８へ電力の供給を遮断させる。オーディオ装置３が電源ＯＮからＯＦＦの状態となったとは、オーディオ装置３の本体部３Ａ（後述）に電力が供給されている状態から電力が供給されない状態となったことをいう。
【００２３】
電源スイッチ部１２は、実行部１４及びＨＤＤ１８への電源電力の供給／非供給を切り替える。実行部１４及びＨＤＤ１８への電力の供給／非供給は、ユーザによりＰＣ１の電源ボタン（図示省略）が押下されたことをトリガとして実行される。ここで、電源ボタンは、電力が供給されている場合に押下されると電源の供給を遮断する。また、電源ボタンは、電力が供給されていない場合に押下されると電源の供給を開始する。
例えば、ユーザにより電源ボタンを介して電力を供給する操作が実行された場合、電源スイッチ部１２は、実行部１４及びＨＤＤ１８に電力を供給するための電源ＯＮ信号を制御部１１に出力する。電源ＯＮ信号とは、電力を供給するための指示信号のことをいう。一方、ユーザにより電源ボタンを介して電力を非供給する操作が実行された場合、電源スイッチ部１２は、実行部１４及びＨＤＤ１８へ電力を供給しないための電源ＯＦＦ信号を制御部１１に出力する。電源ＯＦＦ信号とは、電力を供給しないための指示信号のことをいう。
【００２４】
パワーコントロール部１３は、ＨＤＤ１８、ＵＳＢコネクタ部１９及び制御部１１に電力を供給する。具体的には、パワーコントロール部１３は、制御部１１の指示に基づいて、ＰＣ２の各部に電力を供給する。例えば、電源スイッチ部１２から電源ＯＮ信号が制御部１１に出力されたとする。この場合、制御部１１は、実行部１４及びＨＤＤ１８に電力を供給する指示をパワーコントロール部１３に出力する。パワーコントロール部１３は制御部１１から指示を受けると、当該指示に基づいて、実行部１４及びＨＤＤ１８に電力を供給する。また、パワーコントロール部１３は、制御部１１、電源スイッチ部１２及びＵＳＢコネクタ１９に常時電力を供給する。
【００２５】
実行部１４は、ＰＣ制御部１５と、表示部１６と、操作部１７と、を備えて構成される。ＰＣ制御部１５は、ＣＰＵ、ＲＡＭ等を備えて構成される。
ＰＣ制御部１５は、実行部１４に電力が供給されている場合、ＰＣ２の各部を制御する。例えば、電源スイッチ部１２から電源ＯＮ信号が制御部１１に出力されたとする。この場合、ＰＣ制御部１５は、制御部１１からＰＣ２の各部を制御する旨の指示を受ける。そして、当該指示に基づいてＰＣ２の各部を制御する。
【００２６】
表示部１６は、ＬＣＤ（Liquid Crystal Display）、ＣＲＴ（Cathode Ray Tube)等で構成され、ＰＣ制御部１５からの表示信号に従って画面表示を行う。
【００２７】
操作部１７は、カーソルキー、数字入力キー及び各種機能キーなどを備えたキーボードを含む構成とし、ユーザによりキーボードで押下された押下信号をＰＣ制御部１５に出力する。
【００２８】
ＨＤＤ１８は、磁気記録媒体を備え、制御部１１またはＰＣ制御部１５の指示により、各種情報を読み出し及び書き込み可能に磁気記録媒体に記憶する。
【００２９】
ＵＳＢコネクタ１９は、ＵＳＢケーブル４を介してオーディオ装置３のＵＳＢコネクタ３５と通信接続し、各種情報の送受信を行う。
【００３０】
次に、図３を参照してオーディオ装置３の内部構成例について説明する。
オーディオ装置３は、本体部３Ａと、電源スイッチ部４１と、パワーコントロール部４２と、を備えて構成される。
【００３１】
本体部３Ａは、第２の制御部としてのシステムマイコン３１と、表示部３２と、操作部３３と、第２の通信部としてのＵＳＢコネクタ３４と、ＣＤ（Compact Disc）／ＭＤ（Mini Disc）メカ部３５と、ＤＳＰ（Digital Signal Processor）３６と、ＨＤＤ３７と、ＤＡＣ（Digital Analog Converter）３８と、アンプ部３９と、スピーカー部４０と、を備えて構成される。ＤＳＰ３８、ＤＡＣ４０、アンプ部４１、スピーカー部４２は、再生部として機能する。
【００３２】
システムマイコン３１は、ＣＰＵと、ＲＯＭ（Read  Only  Memory）と、ＲＡＭと（以上、図示省略）を備える。システムマイコン３１は、ＰＣ２のＨＤＤ１８を駆動するための駆動信号を生成し、当該生成した駆動信号をＵＳＢコネクタ３４を介してＰＣ２に送信する。
【００３３】
表示部３２は、ＬＣＤ（Liquid Crystal Display）等により構成され、システムマイコン３１から入力される表示信号に基づいて、ＣＤ又はＭＤの再生又は記録中に所要の表示動作を行う。例えば、再生中のトラック番号、動作状態（早送り、早戻し、録音等）、記録モード等を表示する。
【００３４】
操作部３３は、再生キー、停止キー、サーチキー等の各種入力キーを備え、その押下信号をシステムマイコン３１に出力する。
【００３５】
ＵＳＢコネクタ３４は、ＵＳＢケーブル４を介してＰＣ２のＵＳＢコネクタ１９と通信接続し、各種情報の送受信を行う。
【００３６】
ＣＤ／ＭＤメカ部３５は、ユーザの所望する特定のＣＤまたはＭＤをＣＤ再生部又はＭＤ再生部（いずれも図示省略）に案内して再生可能な状態にセットする機構を備える。
【００３７】
ＤＳＰ３６は、高速のマイクロプロセッサであり、ＣＤの楽曲データ、ＭＤの楽曲データ又はＵＳＢコネクタ３４を介して入力された楽曲データを、システムマイコン３１の指示にしたがって選択する。そして、選択した楽曲データをＭＰ３（MPEG-1 Audio Layer-３）方式やＷＭＡ（Windows Media(登録商標) Audio）への圧縮／伸張の処理、エラー訂正符号化の処理、ＥＦＭ（Eight to Fourteen Modulation）変調処理等の各種デジタル信号処理を施す。
【００３８】
ＨＤＤ３７は、磁気記録媒体を備え、ＤＳＰ３６の指示により、各種情報を読み出し及び書き込み可能に磁気記録媒体に記憶する。
【００３９】
ＤＡＣ３８は、ＤＳＰ３６において処理された所定のデジタル信号をアナログ信号に変換し、アンプ部３９に出力する。アンプ部３９は、ＤＡＣ３８より出力されたアナログ信号を増幅する。スピーカー部４０は、アンプ部３９から出力されたアナログ信号に応じて外部に音出力する。
【００４０】
電源スイッチ部４１は、本体部３Ａへの電源電力の供給／非供給を切り替える。本体部３Ａへの電力の供給／非供給はユーザによりオーディオ装置３の電源ボタン（図示省略）が押下されたことをトリガとして実行される。当該オーディオ装置３の電源ボタンは、ＰＣ１の電源ボタンと同じ機能を有する。例えば、ユーザによりオーディオ装置３の電源ボタンを介して電力を供給する操作が実行された場合、電源スイッチ部４１は、電源ＯＮ信号をパワーコントロール部４２及びシステムマイコン３１に出力する。
【００４１】
パワーコントロール部４２は、電源スイッチ４１からの指示に基づいて、オーディオ装置３の本体部３Ａに電力を供給／非供給する。例えば、電源スイッチ部４１から電源ＯＮ信号がパワーコントロール部４２に出力された場合、パワーコントロール部４２は、本体部３Ａに電力を供給する。
【００４２】
次に、図４を参照して、オーディオシステム１の状態について説明する。オーディオシステム１の状態とは、実行部１４、ＨＤＤ１８、オーディオ装置３内の本体部３Ａの各部それぞれに供給されている電力が供給状態（ＯＮ）または非供給状態（ＯＦＦ）のことをいう。
【００４３】
図４（Ａ）は、オーディオシステム１における実行部１４、ＨＤＤ１８、本体部３Ａの各部がＯＮまたはＯＦＦであるかを示した図である。例えば、実行部１４にパワーコントロール部１３から電力が供給されているときは、実行部１４＝ＯＮとなる。
状態Ａは、実行部１４＝ＯＦＦ、ＨＤＤ１８＝ＯＦＦ、本体部３Ａ＝ＯＦＦの状態を示す。状態Ｂは、実行部１４＝ＯＦＦ、ＨＤＤ１８＝ＯＮ、本体部３Ａ＝ＯＮの状態を示す。状態Ｃは、実行部１４＝ＯＮ、ＨＤＤ１８＝ＯＮ、本体部３Ａ＝ＯＦＦの状態を示す。状態Ｄは、実行部１４＝ＯＮ、ＨＤＤ１８＝ＯＮ、本体部３Ａ＝ＯＮの状態を示す。
【００４４】
次に、図４（Ｂ）を参照して、オーディオシステム１の状態遷移について説明する。オーディオシステム１の状態遷移とは、実行部１４、ＨＤＤ１８、本体部３Ａの各部それぞれがＯＮからＯＦＦへ遷移、またはＯＦＦからＯＮへ遷移することをいう。なお、以下の説明では、ＰＣ２とオーディオ装置３とがＵＳＢケーブル４で接続されている場合について説明する。
【００４５】
状態遷移１〜４は、実行部１４がＯＮからＯＦＦ（ＯＮ→ＯＦＦ）又は、ＯＦＦからＯＮ（ＯＦＦ→ＯＮ）の遷移を示す。状態遷移５〜８は、本体部３ＡがＯＮからＯＦＦ（ＯＮ→ＯＦＦ）又は、ＯＦＦからＯＮ（ＯＦＦ→ＯＮ）の遷移を示す。
【００４６】
状態遷移１は、状態Ａ→状態Ｃの遷移を示す。すなわち、状態遷移１は、実行部１４：ＯＦＦ→ＯＮ、ＨＤＤ１８：ＯＦＦ→ＯＮ、本体部３Ａ：ＯＦＦ→ＯＦＦの遷移を示す。例えば、状態Ａから、ユーザによりＰＣ１の電源ボタン等を介して電力を供給する操作が実行されたとする。この場合、実行部１４：ＯＦＦ→ＯＮ、ＨＤＤ１８：ＯＦＦ→ＯＮとなり、状態遷移１が実行される。また、この場合、本体部３ＡがＯＦＦのままであることによりオーディオ装置３は動作しない。したがって、ＰＣ２は通常のＰＣとして機能する。
【００４７】
状態遷移２は、状態Ｂ→状態Ｄの遷移を示す。すなわち、状態遷移２は、実行部１４：ＯＦＦ→ＯＮ、ＨＤＤ１８：ＯＮ→ＯＮ、本体部３Ａ：ＯＮ→ＯＮの遷移を示す。例えば、状態Ｂから、ユーザによりＰＣ１の電源ボタン等を介して電力を供給する操作が実行されたとする。この場合、実行部１４：ＯＦＦ→ＯＮとなり、状態遷移２が実行される。ここで、状態Ｂは、ＨＤＤ１８をオーディオ装置３の外部記憶装置として用いる状態を示す。したがって、状態遷移２は、ＨＤＤ１８をオーディオ装置３の外部記憶装置として用いていた状態から、実行部１４をＯＦＦ→ＯＮにする遷移を示す。
【００４８】
状態遷移３は、状態Ｃ→状態Ａの遷移を示す。すなわち、状態遷移３は、実行部１４：ＯＮ→ＯＦＦ、ＨＤＤ１８：ＯＮ→ＯＦＦ、本体部３Ａ：ＯＦＦ→ＯＦＦの遷移を示す。例えば、状態Ｃから、ユーザによりＰＣ１の電源ボタン等を介して電力を非供給する操作が実行されたとする。この場合、実行部１４：ＯＮ→ＯＦＦ、ＨＤＤ１８：ＯＮ→ＯＦＦとなり、状態遷移３が実行される。ここで、状態Ｃは、ＰＣ２が通常のＰＣとして機能している状態を示す。したがって、状態遷移３は、ＰＣ２が通常のＰＣとして機能していた状態から、実行部１４及びＨＤＤ１８をＯＮ→ＯＦＦにする遷移を示す。
【００４９】
状態遷移４は、状態Ｄ→状態Ｂの遷移を示す。すなわち、状態遷移４は、実行部１４：ＯＮ→ＯＦＦ、ＨＤＤ１８：ＯＮ→ＯＮ、本体部３Ａ：ＯＮ→ＯＮの遷移を示す。
【００５０】
状態遷移４について具体的に説明する。例えば、状態Ｄから、ユーザによりＰＣ１の電源ボタン等を介して電力を非供給する操作が実行されたとする。この場合、通常は状態遷移３のように実行部１４及びＨＤＤ１８をＯＦＦにする。しかし、ＰＣ２とオーディオ装置３とが接続中で、かつオーディオ装置３の本体部３ＡがＯＮである場合、制御部１９は、本体部３ＡがＯＮであることを認識している。この場合、状態遷移４に示すように実行部１４のみをＯＦＦする。
【００５１】
状態遷移５は、状態Ａ→状態Ｂの遷移を示す。すなわち、状態遷移５は、実行部１４：ＯＦＦ→ＯＦＦ、ＨＤＤ１８：ＯＦＦ→ＯＮ、本体部３Ａ：ＯＦＦ→ＯＮの遷移を示す。
【００５２】
状態遷移５について具体的に説明する。例えば、状態Ａから、ユーザによりオーディオ装置３の電源ボタンを介して電力を供給する操作が実行されたとする。この場合、電源スイッチ部４３は、電源ＯＮ信号をシステムマイコン３１に送信する。このとき、システムマイコン３１は、当該電源ＯＮ信号をトリガとして駆動信号をＵＳＢコネクタ３４を介してＰＣ２に送信する。制御部１１は、当該駆動信号をＵＳＢコネクタ１９を介して受信する。そして、制御部１１は、ＨＤＤ１８をＯＮとする指示をパワーコントロール部１３に送信する。パワーコントロール部１３は、制御部１１の指示に基づいてＨＤＤ１８に電力を供給する。
【００５３】
状態遷移４及び状態遷移５の遷移が実行された後（すなわち、状態Ｂ）は、実行部１４：ＯＦＦ、ＨＤＤ１８：ＯＮ、本体部３Ａ：ＯＮとなる。この場合、実行部１４がＯＦＦであっても、ＨＤＤ１８内の磁気記憶媒体の特定エリアに格納されている楽曲データをオーディオ装置３で再生することが可能となる。特定エリアとは、ＨＤＤ１８の磁気記憶媒体の一部分のエリアのことをいう。当該特定エリアは、フォルダー単位としてもよい。
【００５４】
また、状態Ｂにおいて、実行部１４はＯＦＦとなる。したがって、ＰＣ制御部１５は動作しなくなる。この場合、ＰＣ２の各部（すなわち、電源スイッチ部１２、パワーコントロール部１３、ＨＤＤ１８、ＵＳＢコネクタ１９）の制御は、制御部１１が行う。
【００５５】
ここで、状態Ｂにおいて、ＨＤＤ１８の磁気記憶媒体の特定エリアに格納されている楽曲データをオーディオ装置３で再生する場合について説明する。先ず、システムマイコン３１が、ＨＤＤ１８の磁気記憶媒体内の特定エリアに格納されている楽曲データを再生する旨の指示信号を、ＵＳＢコネクタ３４を介してＰＣ２に送信する。制御部１１は、ＵＳＢコネクタ１９を介して当該指示信号を受信するとＨＤＤ１８の磁気記憶媒体内の特定エリアに格納されている楽曲データを読み出す。そして、読み出した楽曲データをＵＳＢコネクタ１９を介してオーディオ装置３に送信する。システムマイコン３１は、ＵＳＢコネクタ３４を介して当該楽曲データを受信する。そして、当該楽曲データの楽曲をスピーカー部４２から出力する。
【００５６】
状態遷移６は、状態Ｂ→状態Ａの遷移を示す。すなわち、状態遷移６は、実行部１４：ＯＦＦ→ＯＦＦ、ＨＤＤ１８：ＯＮ→ＯＦＦ、本体部３Ａ：ＯＮ→ＯＦＦの遷移を示す。例えば、状態Ａから、ユーザによりオーディオ装置３の電源ボタンを介して電源を非供給する操作が実行されたとする。この場合、本体部３Ａ：ＯＮ→ＯＦＦとなり、状態遷移６が実行される。ここで、ＰＣ２とオーディオ装置３とが接続中である場合、制御部１９は、本体部３ＡがＯＦＦとなったことを認識する。そして、制御部１９は、ＨＤＤ１８をＯＦＦにする。
【００５７】
状態遷移７は、状態Ｃ→状態Ｄの遷移を示す。すなわち、状態遷移７は、実行部１４：ＯＮ→ＯＮ、ＨＤＤ１８：ＯＮ→ＯＮ、本体部３Ａ：ＯＦＦ→ＯＮの遷移を示す。例えば、状態Ｃから、ユーザによりオーディオ装置３の電源ボタンを介して電力を供給する操作が実行されたとする。この場合、本体部３Ａ：ＯＦＦ→ＯＮとなり、状態遷移７が実行される。ここで、状態Ｄは、実行部１４：ＯＮ、ＨＤＤ１８：ＯＮ、本体部３Ａ：ＯＮの状態を示す。状態Ｄにおいても状態Ｂと同様に、オーディオ装置３からＨＤＤ１８内の磁気記憶媒体内の特定エリアに格納されている楽曲データの再生を行うことができる。なお、この場合の動作は以下の通りとなる。
【００５８】
先ず、システムマイコン３１が、ＨＤＤ１８の磁気記憶媒体内の特定エリアに格納されている楽曲データを再生する旨の指示信号を、ＵＳＢコネクタ３４を介してＰＣ２に送信する。ＰＣ制御部１５は、ＵＳＢコネクタ１９を介して当該指示信号を受信するとＨＤＤ１８の磁気記憶媒体内の特定エリアに格納されている楽曲データを読み出す。そして、読み出した楽曲データをＵＳＢコネクタ１９を介してオーディオ装置３に送信する。システムマイコン３１は、ＵＳＢコネクタ３４を介して当該楽曲データを受信する。そして、当該楽曲データの楽曲をスピーカー部４２から出力する。
【００５９】
状態遷移８は、状態Ｄ→状態Ｃの遷移を示す。すなわち、状態遷移８は、実行部１４：ＯＮ→ＯＮ、ＨＤＤ１８：ＯＮ→ＯＮ、本体部３Ａ：ＯＮ→ＯＦＦの遷移を示す。例えば、状態Ｄから、ユーザによりオーディオ装置３の電源ボタンを介して電力を非供給する操作が実行されたとする。この場合、本体部３Ａ：ＯＮ→ＯＦＦとなり、状態遷移８が実行される。また、状態遷移８において、ＰＣ２は通常のＰＣとして機能する。
【００６０】
以上、本実施の形態によれば、制御部１１は、ＨＤＤ１８に電力が供給されていない場合に、オーディオ装置３からＨＤＤ１８を駆動する駆動信号を受信すると、当該受信した駆動信号に応じて、パワーコントロール部１３にＨＤＤ１８へ電力を供給させることができる。これにより、ＰＣ２を完全に起動させずとも、ＰＣ２のＨＤＤ１８に蓄積された楽曲データをオーディオ装置３で読み出すことができる。すなわち、ユーザの作業負担を低減し、ＰＣ２のＨＤＤ１８のデータを読み出すことができる。また、ＨＤＤ１８を駆動させる際、実行部１４に電力を供給する必要がないので、消費電力の低減を実現することができる。    
【００６１】
また、制御部１１は、ＰＣ２の通常制御動作が解除された状態でオーディオ装置３が電源ＯＮされていることを認識した場合、パワーコントロール部１３にＨＤＤ１８へ電力の供給を継続させることができる。これにより、ＰＣ２の通常制御動作が解除された状態であってもＨＤＤ１８のデータを読み出すことができる。
【００６２】
また、制御部１１は、ＰＣ２の通常制御動作が解除された状態でオーディオ装置３が電源ＯＮからＯＦＦの状態となったことを認識した場合、パワーコントロール部１３にＨＤＤ１８へ電力の供給を遮断させることができる。これにより、ＨＤＤ１８への電力の供給を遮断することができるので、ＰＣ２の消費電力を低減することができる。また、ＨＤＤ１８へ電力の供給を遮断する際、ユーザの作業負担を低減することができる。
【００６３】
また、システムマイコン３１は、駆動信号を生成し、当該生成した駆動信号をＵＳＢコネクタ３４を介してＰＣ２に送信することができる。これにより、ＰＣ２を完全に起動させずとも、ＰＣ２のＨＤＤ１８に蓄積された楽曲データをオーディオ装置３で読み出すことができる。
【００６４】
また、実行部１４がＯＦＦであってもオーディオ装置３の本体部３ＡをＯＮにするだけで、ＨＤＤ１８を駆動することができる。これにより、実行部１４をＯＮにする必要がないので、実行部１４の立ち上げに時間を必要としない。
【００６５】
また、オーディオ装置３の外部記憶装置として、ＰＣ２のＨＤＤ１８を用いることができる。これにより、別途新たなＨＤＤを購入する必要がない。
【００６６】
また、オーディオ装置３に内蔵ＨＤＤを搭載する必要がないため、製品コストを低減することができる。
【００６７】
＜変形例＞  
図５を参照して、本発明に係る実施の形態の変形例を説明する。本変形例は、オーディオシステム１におけるＰＣ２がＰＣ２Ａに置き換わった構成である。図５に本発明に係るＰＣ２Ａの内部構成例を示す。以下、オーディオシステム１におけるＰＣ２と同様な部分には同一の符号を付し、その詳細な説明を援用し、異なる部分について説明する。
【００６８】
制御部１１Ａは、オーディオ装置３との情報の送受信を制御すると共に、ＨＤＤ１８の楽曲データの読み出しを制御する。また、制御部１１Ａは、ＨＤＤ１８に電力が供給されていない場合に、ＵＳＢコネクタ１９を介してオーディオ装置３からＨＤＤ１８を駆動するための駆動信号を受信すると、当該受信した駆動信号に応じて、パワーコントロール部１３ＡにＨＤＤ１９へ電力を供給させる。
【００６９】
電源スイッチ部１２Ａは、実行部１４Ａ及びＨＤＤ１８への電源電力の通電（供給）をＯＮ／ＯＦＦする。
【００７０】
パワーコントロール部１３Ａは、ＨＤＤ１８、ＵＳＢコネクタ部１９及び制御部１１Ａに電力を供給する。本体部１４Ａは、表示部１６と、操作部１７と、を備えて構成される。
【００７１】
ＰＣ２Ａを用いたオーディオシステム１における状態遷移は上記実施の形態と同様である。
【００７２】
以上、本変形例によれば、制御部１１Ａは、ＨＤＤ１８に電力が供給されていない場合に、オーディオ装置３からＨＤＤ１８を駆動する駆動信号を受信すると、当該受信した駆動信号に応じて、パワーコントロール部１３ＡにＨＤＤ１８へ電力を供給させることができる。これにより、ＰＣ２Ａを完全に起動させずとも、ＰＣ２ＡのＨＤＤ１８に蓄積された楽曲データをオーディオ装置３で読み出すことができる。すなわち、ユーザの作業負担を低減し、ＰＣ２のＨＤＤ１８のデータを読み出すことができる。
【００７３】
なお、上記実施の形態及び実施の形態の変形例における記述は、本発明に係るオーディオシステム１の一例であり、これに限定されるものではない。
【００７４】
例えば、上記実施の形態及び実施の形態の変形例では、ＰＣ２とオーディオ装置３との通信はＵＳＢケーブルを用いる構成としたが、無線ＵＳＢ、ＬＡＮ（Local Area Network）等としてもよい。
【００７５】
また、ＰＣ２とオーディオ装置３との通信規格としてＵＳＢ  Ｏｎ−Ｔｈｅ−Ｇｏを用いることとしてもよい。
【００７６】
また、システムマイコン３１がＰＣ２に送信する駆動信号は、ＤＳＰ３６がＵＳＢコネクタ３４を介して入力された楽曲データを選択したときをトリガとして送信することとしてもよい。
【００７７】
また、オーディオ装置３は、例えば、携帯型の音楽プレーヤー等としてもよい。
【００７８】
また、制御部１１及びＵＳＢコネクタ１９には常時電力が供給されていることとしたが、例えば、状態Ａ（実行部１４：ＯＦＦ、ＨＤＤ１８：ＯＦＦ、本体部３Ａ：ＯＦＦ）から、本体部３ＡをＯＮにしたとき、ＵＳＢケーブル４を介してオーディオ装置３からＨＤＤ１８、制御部１１、及びＵＳＢコネクタ１９に電力を供給することとしても良い。
【００７９】
また、実施の形態における状態遷移は、ＰＣ２とオーディオ装置３とがＵＳＢケーブル４で接続されている構成としたが、例えば、ＵＳＢケーブル４の接続を外した場合、オーディオ装置３の本体部３Ａ：ＯＮ→ＯＦＦとなることとしてもよい。
【００８０】
また、データを楽曲データとしたが、これに限定されるものではない。例えば、静止画、動画等の画像データ（例えば、映画、漫画、ＴＶドラマ等）の他の種類のデータとしてもよい。
【００８１】
その他、上記実施の形態におけるオーディオシステム１の細部構成及び詳細動作に関しても、本発明の趣旨を逸脱しない範囲で適宜変更可能である。
【図面の簡単な説明】
【００８２】
【図１】本発明に係るオーディオシステム１の構成例である。
【図２】ＰＣ２の内部構成例である。
【図３】オーディオ装置３の内部構成例である。
【図４】オーディオシステム１の状態遷移図である。
【図５】ＰＣ２Ａの内部構成例である。
【図６】従来のオーディオシステム１００、２００の概略構成図である。
【符号の説明】
【００８３】
１，１００，２００   オーディオシステム
２，２Ａ      ＰＣ
３     オーディオ装置
４     ＵＳＢケーブル
１１，１１Ａ  制御部
１２，１２Ａ，４１  電源スイッチ部
１３，１３Ａ，４２  パワーコントロール部
１４，１４Ａ  実行部
１５   ＰＣ制御部
１６，３２    表示部
１７，３３    操作部
１８，３７  ＨＤＤ
１９，３４    ＵＳＢコネクタ
３１   システムマイコン
３５   ＣＤ／ＭＤメカ部
３６   ＤＳＰ
３８   ＤＡＣ
３９   アンプ部
４０   スピーカー部
３Ａ   本体部
【図１】
2008217561.tif 000003
【図２】
2008217561.tif 000004
【図３】
2008217561.tif 000005
【図４】
2008217561.tif 000006
【図５】
2008217561.tif 000007
【図６】
2008217561.tif 000008